(57)【特許請求の範囲】
【請求項１】
押ボタンを初期位置である第１の高さ位置と、前記第１の高さ位置から上昇させた第２の高さ位置と、に昇降可能な遊技機用押ボタン装置を支持する遊技機用押ボタン装置の支持構造であって、
前記押ボタンの前記第１の高さ位置における押下面を被覆する被覆部を具備し、
前記被覆部は、前記押ボタンの昇降動作に起因して開閉可能な半球面状の本体部と、前記本体部の内周面に連結して配置され、前記押ボタンの昇降動作に起因して傾動するピン部材と、を有し、
前記押ボタンの上昇動作時に、前記押ボタンが前記ピン部材を付き押して、前記ピン部材を斜倒させるとともに、該ピン部材の斜倒動作に連動して前記本体部が開くことで、前記押ボタンの上昇動作を可能にすること、
を特徴とする遊技機用押ボタン装置の支持構造。
【請求項２】
前記ピン部材は、該ピン部材の先端に重り部材を有し、
前記押ボタンの下降動作時に、前記ピン部材から前記押ボタンが離れることで、前記ピン部材を起立させるともに、該ピン部材の起立動作に連動して前記本体部が閉じることで、前記押ボタンの下降動作を可能に被覆すること、
を特徴とする請求項１記載の遊技機用押ボタン装置の支持構造。
【請求項３】
前記被覆部の本体部は、透過性部材であること、
を特徴とする請求項１又は２記載の遊技機用押ボタン装置の支持構造。
【発明の詳細な説明】
【技術分野】
【０００１】
本発明は、遊技機の各種演出に利用可能な押ボタンを初期位置である第１の高さ位置と、この第１の高さ位置から上昇させた第２の高さ位置とに昇降可能な遊技機用押ボタン装置を支持する遊技機用押ボタン装置の支持構造に関する。
【背景技術】
【０００２】
従来、遊技機の一種であるパチンコ遊技機では、例えば、遊技盤面に配置された図柄変動表示装置がリーチ状態になった際、チャンスボタンと称される押ボタンを遊技者が押すことで、図柄変動表示装置の図柄の変動パターンを変更させることが可能になり、遊技に多様性を持たせたものが知られている。
【０００３】
このとき、遊技者にインパクトを与えるために、押ボタンを初期位置である第１の高さ位置から第２の高さ位置に上昇させたり、第２の高さ位置から第１の高さ位置に下降させたりすること、すなわち、遊技機の本体に対して昇降可能な昇降手段を備えた遊技機用押ボタン装置が知られている。
【０００４】
このように、遊技者にインパクトを与えるために、押ボタンを遊技機の本体に対して昇降可能な昇降手段を備えたものとして、例えば、特許文献１には、スプリングの付勢力により押ボタンを上昇させ、遊技機用押ボタンスイッチに関する技術が開示されている。
【先行技術文献】
【特許文献】
【０００５】
【特許文献１】特開２００９−２９７２５８号公報
【発明の概要】
【発明が解決しようとする課題】
【０００６】
ところで、上記特許文献１は、当該文献の図１に示すように、押ボタンを遊技機の本体に対して上下動させることで、遊技者にインパクトを与えることが可能であるが、あらかじめ決められたタイミングになると無条件に押ボタンが突出してしまう。
【０００７】
このように、押ボタンを遊技機の本体に対して上下動させるために、押ボタンの上面が遊技機に対し、遊技者側に向かって直交して配置されている場合、例えば、押ボタンの上に飲料などの物が置かれてしまうと、押ボタンが上昇する際、物が落下したり、飲料がこぼれてしまい、押ボタンの昇降動作を妨げてしまうという技術的課題がある。
【０００８】
本発明の目的は、上記従来の実状を鑑みて、押ボタンを遊技機の本体に対して昇降させることで、遊技者にインパクトを与えることが可能であるとともに、押ボタンの上面に物を載せないように施すことで、押ボタンの昇降動作を妨げないようにすることが可能な遊技機用押ボタン装置の支持構造を提供することにある。
【課題を解決するための手段】
【０００９】
上記課題を解決するために、本発明の一態様として、押ボタンを初期位置である第１の高さ位置と、前記第１の高さ位置から上昇させた第２の高さ位置と、に昇降可能な遊技機用押ボタン装置を支持する遊技機用押ボタン装置の支持構造であって、前記押ボタンの前記第１の高さ位置における押下面を被覆する被覆部を具備し、前記被覆部は、前記押ボタンの昇降動作に起因して開閉可能な半球面状の本体部と、前記本体部の内周面に連結して配置され、前記押ボタンの昇降動作に起因して傾動するピン部材と、を有し、前記押ボタンの上昇動作時に、前記押ボタンが前記ピン部材を付き押して、前記ピン部材を斜倒させるとともに、該ピン部材の斜倒動作に連動して前記本体部が開くことで、前記押ボタンの上昇動作を可能にするように構成されている。
【００１６】
また、本発明の遊技機用押ボタン装置の支持構造の一態様として、前記ピン部材は、該ピン部材の先端に重り部材を有し、前記押ボタンの下降動作時に、前記ピン部材から前記押ボタンが離れることで、前記ピン部材を起立させるともに、該ピン部材の起立動作に連動して前記本体部が閉じることで、前記押ボタンの下降動作を可能に被覆して構成されている。
【００１７】
また、本発明の遊技機用押ボタン装置の支持構造の一態様として、前記被覆部の本体部が透過性部材により構成されている。
【発明の効果】
【００１８】
本発明によれば、押ボタンを遊技機の本体に対して昇降させることで、遊技者にインパクトを与えることが可能であるとともに、押ボタンの上面に物を載せないように施すことで、押ボタンの昇降動作を妨げないようにすることが可能な遊技機用押ボタン装置の支持構造を提供することができる。
また、本発明によれば、被覆部により押ボタンの第１の高さ位置で被覆可能となっているとともに、第２の高さ位置で押下面を押下可能となっている。このため、押ボタンを押下可能時にのみ出現させることが可能になり、遊技者による不要な押下動作を抑止することできる。
【図面の簡単な説明】
【００１９】
【図１Ａ】本発明の一実施の形態である遊技機の構成について、遊技機用押ボタン装置の押ボタンが第１の高さ位置に位置する状態を前方から模式的に示す表面斜視図である。
【図１Ｂ】本発明の一実施の形態である遊技機の構成について、遊技機用押ボタン装置の押ボタンが第１の高さ位置に位置する状態を側方から模式的に示す側面図である。
【図２Ａ】本発明の一実施の形態である遊技機の構成について、遊技機用押ボタン装置の押ボタンが第２の高さ位置に位置する状態を前方から模式的に示す表面斜視図である。
【図２Ｂ】本発明の一実施の形態である遊技機の構成について、遊技機用押ボタン装置の押ボタンが第２の高さ位置に位置する状態を側方から模式的に示す側面図である。
【図３Ａ】本発明の一実施の形態である遊技機の遊技機用押ボタン装置の構成を前方から模式的に示す正面図である。
【図３Ｂ】本発明の一実施の形態である遊技機の遊技機用押ボタン装置の構成を前方から模式的に示す表面斜視図である。
【図３Ｃ】本発明の一実施の形態である遊技機の遊技機用押ボタン装置の構成を後方から模式的に示す裏面斜視図である。
【図４】本発明の一実施の形態である遊技機の遊技機用押ボタン装置の分解した状態を模式的に示す分解斜視図である。
【図５】図３Ｂにおける線Ｉ−Ｉ´を模式的に示す断面図である。
【図６Ａ】本発明の一実施の形態である遊技機の遊技機用押ボタン装置の第１の動作を模式的に示す正面図である。
【図６Ｂ】本発明の一実施の形態である遊技機の遊技機用押ボタン装置の第２の動作を模式的に示す正面図である。
【図６Ｃ】本発明の一実施の形態である遊技機の遊技機用押ボタン装置の第３の動作を模式的に示す正面図である。
【図６Ｄ】本発明の一実施の形態である遊技機の遊技機用押ボタン装置の第４の動作を模式的に示す正面図である。
【図６Ｅ】本発明の一実施の形態である遊技機の遊技機用押ボタン装置の第５の動作を模式的に示す正面図である。
【図６Ｆ】本発明の一実施の形態である遊技機の遊技機用押ボタン装置の第６の動作を模式的に示す正面図である。
【図６Ｇ】本発明の一実施の形態である遊技機の遊技機用押ボタン装置の第７の動作を模式的に示す正面図である。
【図７Ａ】本発明の他の実施の形態である遊技機の構成について、遊技機用押ボタン装置の押ボタンが第１の高さ位置に位置する状態を前方から模式的に示す表面斜視図である。
【図７Ｂ】本発明の他の実施の形態である遊技機の構成について、遊技機用押ボタン装置の押ボタンが第１の高さ位置に位置する状態を側方から模式的に示す側面図である。
【図８Ａ】本発明の他の実施の形態である遊技機の構成について、遊技機用押ボタン装置の押ボタンが第２の高さ位置に位置する状態を前方から模式的に示す表面斜視図である。
【図８Ｂ】本発明の他の実施の形態である遊技機の構成について、遊技機用押ボタン装置の押ボタンが第２の高さ位置に位置する状態を側方から模式的に示す側面図である。
【図９Ａ】本発明の他の実施の形態である遊技機用押ボタン装置の支持構造について、押ボタンが第１の高さ位置に位置する状態を前方から模式的に示す正面図である。
【図９Ｂ】本発明の他の実施の形態である遊技機用押ボタン装置の支持構造について、押ボタンが第２の高さ位置に位置する状態を前方から模式的に示す正面図である。
【図１０Ａ】本発明の他の実施の形態である遊技機の構成について、遊技機用押ボタン装置の押ボタンが第１の高さ位置に位置する状態を前方から模式的に示す表面斜視図である。
【図１０Ｂ】本発明の他の実施の形態である遊技機の構成について、遊技機用押ボタン装置の押ボタンが第２の高さ位置に位置する状態を前方から模式的に示す表面斜視図である。
【図１１Ａ】本発明の他の実施の形態である遊技機の構成について、遊技機用押ボタン装置の押ボタンが第１の高さ位置に位置する状態を側方から模式的に示す側面図である。
【図１１Ｂ】本発明の他の実施の形態である遊技機の構成について、遊技機用押ボタン装置の押ボタンが第２の高さ位置に位置する状態を側方から模式的に示す側面図である。
【図１２】本発明の他の実施の形態である遊技機用押ボタン装置の支持構造の分解した状態を模式的に示す分解斜視図である。
【図１３Ａ】本発明の他の実施の形態である遊技機用押ボタン装置の支持構造について、第１の状態を前方から拡大して模式的に示す拡大斜視図である。
【図１３Ｂ】本発明の他の実施の形態である遊技機用押ボタン装置の支持構造について、第２の状態を前方から拡大して模式的に示す拡大斜視図である。
【図１３Ｃ】本発明の他の実施の形態である遊技機用押ボタン装置の支持構造について、第３の状態を前方から拡大して模式的に示す拡大斜視図である。
【図１４Ａ】本発明の他の実施の形態である遊技機用押ボタン装置の支持構造について、第１の状態を上方から拡大して模式的に示す拡大平面図である。
【図１４Ｂ】本発明の他の実施の形態である遊技機用押ボタン装置の支持構造について、第２の状態を上方から拡大して模式的に示す拡大平面図である。
【図１４Ｃ】本発明の他の実施の形態である遊技機用押ボタン装置の支持構造について、第３の状態を上方から拡大して模式的に示す拡大平面図である。
【図１５Ａ】本発明の他の実施の形態である遊技機の構成について、遊技機用押ボタン装置の押ボタンが第１の高さ位置に位置する状態を前方から模式的に示す表面斜視図である。
【図１５Ｂ】本発明の他の実施の形態である遊技機の構成について、遊技機用押ボタン装置の押ボタンが第１の高さ位置に位置する状態を側方から模式的に示す側面図である。
【図１６Ａ】本発明の他の実施の形態である遊技機の構成について、遊技機用押ボタン装置の押ボタンが第２の高さ位置に位置する状態を前方から模式的に示す表面斜視図である。
【図１６Ｂ】本発明の他の実施の形態である遊技機の構成について、遊技機用押ボタン装置の押ボタンが第２の高さ位置に位置する状態を側方から模式的に示す側面図である。
【図１７】本発明の他の実施の形態である遊技機の遊技機用押ボタン装置の内部構成を模式的に示す断面図である。
【図１８Ａ】本発明の他の実施の形態である遊技機の遊技機用押ボタン装置の第１の動作を模式的に示す正面図である。
【図１８Ｂ】本発明の他の実施の形態である遊技機の遊技機用押ボタン装置の第２の動作を模式的に示す正面図である。
【図１８Ｃ】本発明の他の実施の形態である遊技機の遊技機用押ボタン装置の第３の動作を模式的に示す正面図である。
【図１８Ｄ】本発明の他の実施の形態である遊技機の遊技機用押ボタン装置の第４の動作を模式的に示す正面図である。
【図１８Ｅ】本発明の他の実施の形態である遊技機の遊技機用押ボタン装置の第５の動作を模式的に示す正面図である。
【図１８Ｆ】本発明の他の実施の形態である遊技機の遊技機用押ボタン装置の第６の動作を模式的に示す正面図である。
【図１８Ｇ】本発明の他の実施の形態である遊技機の遊技機用押ボタン装置の第７の動作を模式的に示す正面図である。
【図１９Ａ】本発明の他の実施の形態である遊技機の構成について、遊技機用押ボタン装置の押ボタンが第１の高さ位置に位置する状態を前方から模式的に示す表面斜視図である。
【図１９Ｂ】本発明の他の実施の形態である遊技機の構成について、遊技機用押ボタン装置の押ボタンが第１の高さ位置に位置する状態を側方から模式的に示す側面図である。
【図２０Ａ】本発明の他の実施の形態である遊技機の構成について、遊技機用押ボタン装置の押ボタンが第２の高さ位置に位置する状態を前方から模式的に示す表面斜視図である。
【図２０Ｂ】本発明の他の実施の形態である遊技機の構成について、遊技機用押ボタン装置の押ボタンが第２の高さ位置に位置する状態を側方から模式的に示す側面図である。
【図２１Ａ】本発明の他の実施の形態である遊技機用押ボタン装置の支持構造について、押ボタンが第１の高さ位置に位置する状態を前方から拡大して模式的に示す拡大斜視図である。
【図２１Ｂ】本発明の他の実施の形態である遊技機用押ボタン装置の支持構造について、押ボタンが第２の高さ位置に位置する状態を前方から拡大して模式的に示す拡大斜視図である。
【図２２Ａ】本発明の他の実施の形態である遊技機用押ボタン装置の支持構造について、押ボタンが第１の高さ位置に位置する状態を前方から拡大して模式的に示す拡大正面図である。
【図２２Ｂ】本発明の他の実施の形態である遊技機用押ボタン装置の支持構造について、押ボタンが第２の高さ位置に位置する状態を前方から拡大して模式的に示す拡大正面図である。
【発明を実施するための形態】
【００２０】
以下、図面を参照しながら、本発明の実施の形態について詳細に説明する。なお、遊技機には、例えば、パチンコ遊技機、アレンジボール機又は雀球遊技機等があるが、本発明の実施の形態では、一例として、パチンコ遊技機に基づいて説明する。
【００２１】
（実施の形態１）
まず、本発明の一実施の形態である遊技機１００の構成について、図１Ａ、図１Ｂ、図２Ａ及び図２Ｂを用いて説明する。図１Ａは、本発明の一実施の形態である遊技機１００の構成について、遊技機用押ボタン装置１０の押ボタン１１が第１の高さ位置に位置する状態を前方から模式的に示す表面斜視図であり、図１Ｂは、本発明の一実施の形態である遊技機１００の構成について、遊技機用押ボタン装置１０の押ボタン１１が第１の高さ位置に位置する状態を側方から模式的に示す側面図である。
【００２２】
また、図２Ａは、本発明の一実施の形態である遊技機１００の構成について、遊技機用押ボタン装置１０の押ボタン１１が第２の高さ位置に位置する状態を前方から模式的に示す表面斜視図であり、図２Ｂは、本発明の一実施の形態である遊技機１００の構成について、遊技機用押ボタン装置１０の押ボタン１１が第２の高さ位置に位置する状態を側方から模式的に示す側面図である。
【００２３】
図１Ａ、図１Ｂ、図２Ａ及び図２Ｂに例示されるように、本実施の形態において、遊技機１００は、遊技機１００の外郭を形成する支持体１１０と、支持体１１０の側板１１３を軸にして回動可能となるように支持体に支持された図示しない透過部材保持枠及び遊技盤保持枠とを備えて構成されている。
【００２４】
支持体１１０は、上板１１１、下板１１２、側板１１３、側板１１４からなる四辺の夫々を図示しない連結金具により連結させて、略長方形状の囲繞空間を有して構成されている。これら上板１１１、下板１１２、側板１１３、側板１１４の材質は、変形や歪みが生じにくい木材等が用いられている。
【００２５】
上板１１１及び側板１１３を連結する連結金具と、側板１１３及び下板１１２を連結する連結金具とには、遊技機１００の前面側に突出した位置で互いに対向して配置された一対の図示しないヒンジが設けられている。
【００２６】
この一対のヒンジには、透過部材保持枠及び遊技盤保持枠が連結され、上述したように、支持体１１０の側板１１３を軸にして回動可能となるように支持体１１０に支持されている。
【００２７】
具体的には、透過部材保持枠には、この透過部材保持枠の側辺の上方に突出する図示しない枢支軸及び側辺の下方に突出する図示しない枢支軸が設けられ、これら枢支軸がヒンジに回動可能となるように支持されている。
【００２８】
このように、透過部材保持枠の枢支軸がヒンジに回動可能となるように支持されることで、透過部材保持枠が支持体１１０の側板１１３を軸にして回動可能となるように支持されている。
【００２９】
透過部材保持枠も支持体１１０と同様に、上辺、下辺、側辺、側辺からなる四辺によって略長方形状の囲繞空間を有して構成されている。この透過部材保持枠の囲繞空間には、図示しない遊技盤に対向して配置され、遊技盤を被装する透過部材１２０が配置されている。これら上辺、下辺、側辺、側辺の材質は、軽量化や装飾性の向上の目的から合成樹脂性とすることが望ましく、好ましくは、補強金具を固定して歪みや変形を防止するとよい。
【００３０】
本実施の形態の透過部材１２０は、合成樹脂を用いて形成されている。なお、透過部材１２０の材質については、合成樹脂に限定されず、透過部材１２０を介して遊技盤を遊技者側から目視可能なものであれば、例えば、ガラス板等により形成しても良い。
【００３１】
遊技盤保持枠も支持体１１０及び透過部材保持枠と同様に、上辺、下辺、側辺、側辺からなる四辺によって略長方形状の囲繞空間を有して構成されている。この遊技盤保持枠の囲繞空間には、図示しない遊技盤が配置されている。
【００３２】
なお、これら透過部材保持枠及び遊技盤保持枠を支持体１１０に対して閉じた状態では、支持体１１０、透過部材保持枠及び遊技盤保持枠が全て略平行に配置されている。
【００３３】
すなわち、透過部材保持枠及び遊技盤保持枠を閉じた状態では、遊技盤に対して所定の間隔を維持して透過部材１２０が対向して配置されることで、遊技盤の前面が透過部材１２０により覆われている。
【００３４】
また、遊技機１００の前面、すなわち、透過部材保持枠の前面には、遊技球を発射させるための操作ハンドル１０１、遊技球を溜める上皿１０２などが配置されている。本実施の形態において、上皿１０２には、遊技機用押ボタン装置１０が設けられている。この遊技機用押ボタン装置１０は、押ボタン１１を初期位置である第１の高さ位置と、この第１の高さ位置から上昇させた第２の高さ位置との間での昇降動作を可能にしている。
【００３５】
また、上皿１０２には、遊技機用押ボタン装置１０の上方を覆うように配置され、遊技機用押ボタン装置１０を被覆する被覆部１０３が設けられている。この被覆部１０３は、押ボタン１１の昇降動作を可能に被覆している。
【００３６】
本実施の形態において、被覆部１０３は、ゴム材などの弾性部材又は紙を用いて形成されている。そして、弾性部材又は紙で形成された被覆部１０３における遊技機用押ボタン装置１０の押ボタン１１に対向する位置には、切り込み１０３ａが形成されている。
【００３７】
このように、本実施の形態の上皿１０２には、弾性部材又は紙を用いて形成された被覆部１０３が遊技機用押ボタン装置１０を覆うように設けられているため、この被覆部１０３の上には、遊技者に視覚的に物が置けないように施すことが可能になる。
【００３８】
また、被覆部１０３における遊技機用押ボタン装置１０の押ボタン１１に対向する位置に切り込み１０３ａが形成されているため、この被覆部１０３の上には、遊技者に視覚的に物が置けないように施すことが可能になる。更には、押ボタン１１の昇降動作の際、押ボタン１１が切り込み１０３ａを通過することで、押ボタン１１の昇降動作を可能にしている。
【００３９】
このように、本実施の形態の遊技機用押ボタン装置１０の上方には、被覆部１０３が設けられ、この被覆部１０３の上には、常に物が置けないように施されているととともに、被覆部１０３に切り込み１０３が形成されているため、押ボタン１１の昇降動作を妨げないようにすることができる。
【００４０】
以下、本実施の形態の遊技機用押ボタン装置１０の構成について、図３Ａ、図３Ｂ、図３Ｃ、図４及び図５を用いて説明する。まず、本実施の形態の遊技機用押ボタン装置１０の外部構成について図３Ａ、図３Ｂ及び図３Ｃを用いて説明する。図３Ａは、本発明の一実施の形態である遊技機１００の遊技機用押ボタン装置１０の構成を前方から模式的に示す正面図であり、図３Ｂは、本発明の一実施の形態である遊技機１００の遊技機用押ボタン装置１０の構成を前方から模式的に示す表面斜視図であり、図３Ｃは、本発明の一実施の形態である遊技機１００の遊技機用押ボタン装置１０の構成を後方から模式的に示す裏面斜視図である。
【００４１】
図３Ａ、図３Ｂ及び図３Ｃに例示されるように、本実施の形態の遊技機用押ボタン装置１０は、遊技者が押下する押ボタン１１の昇降動作を可能にするものであり、押ボタン１１を第１の高さ位置と第２の高さ位置との間で昇降させる昇降手段（支持部材２０）と、支持部材２０を上方向に上昇させる付勢手段（付勢部材３０）と、付勢部材３０により支持部材２０を上昇させた後に、支持部材２０を上昇させる昇降手段（第１の歯車機構部材４０）とを備えて構成されている。また、本実施の形態の遊技機用押ボタン装置１０は、押ボタン１１を第２の高さ位置から第１の高さ位置まで下降させる昇降手段（第２の歯車機構部材５０）を備えて構成されている。
【００４２】
本実施の形態において、これら支持部材２０、付勢部材３０、第１の歯車機構部材４０及び第２の歯車機構部材５０は、基台６０に保持されている。基台６０は、平板状の第１の板部材６１及び第２の板部材６２により構成されている。
【００４３】
第１の板部材６１は、遊技機１００の設置面に対して略垂直に起立させて設置されている。そして第１の板部材６１の上辺には、第１の板部材６１に対して鉛直方向に沿って延設して配置された第２の板部材６２が設けられている。すなわち、基台６０は、上述したように、第１の板部材６１及び第２の板部材６２により構成され、この基台６０を側面視すると略断面Ｔ字形状をなして形成されている。
【００４４】
基台６０の正面視中央には、基台６０の軸方向（図４Ａにおいては上下方向。）に沿って延設して配置され、遊技者が遊技中に押下する押ボタン１１が設けられている。また、基台６０の正面視中央には、押ボタン１１と同様に、基台６０の軸方向に沿って延設して配置され、押ボタン１１を昇降可能に支持する支持部材２０が設けられている。
【００４５】
本実施の形態において、押ボタン１１及び支持部材２０は、押ボタン１１の後述する本体部１２に支持部材２０の後述する円柱部２１を挿嵌させて、一体に上下動するように組み付けられている。
【００４６】
また、基台６０の正面視中央には、押ボタン１１及び支持部材２０と同様に、基台６０の軸方向に沿って延設して配置され、押ボタン１１及び支持部材２０を上方に付勢する付勢部材３０が設けられている。
【００４７】
付勢部材３０は、基台６０の第２の板部材６２の上面に載置されている。そして、付勢部材３０には、支持部材２０の後述する棒状部２３が挿通されている。すなわち、付勢部材３０は、第２の板部材６２と支持部材２０の後述する円柱部２１との間に配置されている。
【００４８】
基台６０の正面視左方には、第１の歯車機構部材４０が配置されている。第１の歯車機構部材４０は、押ボタン１１及び支持部材２０を上昇させる役目を果たしている。一方、基台６０の正面視右方には、第２の歯車機構部材５０が配置されている。この第２の歯車機構部材５０は、押ボタン１１及び支持部材２０を上方に付勢する付勢部材３０の付勢力を抑える役目、並びに、押ボタン１１及び支持部材２０を下降させる役目を果たしている。
【００４９】
基台６０の背面側には、第１の歯車機構部材４０及び第２の歯車機構部材５０のそれぞれに対応してモータ４６及びモータ５６が配置されている。そして、モータ４６及びモータ５６には、これらモータ４６及びモータ５６の駆動を制御する図示しない制御手段が設けられている。
【００５０】
制御手段は、モータ４６及びモータ５６の回転を検出する図示しない回転検出手段を備えて構成されている。具体的には、回転検出手段は、第１の歯車機構部材４０の後述するケース体４４の回転が第１の板部材６１に設けられた後述する突出片６４により制限されると、モータ４６の回転状態を検出する役目を果たしている。また、第２の歯車機構部材５０の後述するケース体５４の回転が第１の板部材に設けられた後述する突出片６５により制限されると、モータ５６の回転状態を検出する役目を果たしている。
【００５１】
すなわち、制御手段は、回転検出手段により検出されたモータ４６及びモータ５６の回転状態に基づいて、これらモータ４６及びモータ５６の駆動を制御する役目を果たしている。そして、第１の歯車機構部材４０及び第２の歯車機構部材５０は、制御手段により制御されたモータ４６及びモータ５６の駆動に起因して作動する。
【００５２】
次に、本実施の形態の遊技機用押ボタン装置１０の内部構造について図４及び５に基づいて詳細に説明する。図４は、本発明の一実施の形態である遊技機１００の遊技機用押ボタン装置１０の分解した状態を模式的に示す分解斜視図であり、図５は、図３Ｂにおける線Ｉ−Ｉ´を模式的に示す断面図である。
【００５３】
図４及び図５に例示されるように、本実施の形態において、基台６０の第１の板部材６１には、正面視中央に、第１の板部材６１の軸方向に沿って溝６８が形成されている。この溝６８には、支持部材２０を軸支する軸支部材２６が挿嵌されており、軸支部材２６を保持する役目を果たしている。
【００５４】
また、第１の板部材６１の正面視左上方には、第１の歯車機構部材４０の後述するケース体４４の引っ掛け部ととともにバネ４５を掛け渡す突出ピン６６が形成されている。また、第１の板部材６１の正面視左下方には、ケース体４４の回転を制限する突出片６４が形成されている。
【００５５】
一方、第１の板部材６１の正面視右上方には、第２の歯車機構部材５０の後述するケース体５４の引っ掛け部とともにバネ５５を掛け渡す突出ピン６７が形成されている。また、第１の板部材６１の正面視右下方には、ケース体５４の回転を制限する突出片６５が形成されている。
【００５６】
第１の板部材６１の上辺には、上述したように、第２の板部材６２が一体に設けられている。そして、第２の板部材６２には、第２の板部材６２の長手方向に対してほぼ中心に平面視凸形状の孔６３が形成されている。孔６３の幅広部には、支持部材２０の棒状部２３が挿通され、孔６３の幅狭部には、支持部材２０を軸支する軸支部材２６が挿通されている。
【００５７】
第２の板部材６２の上方には、押ボタン１１が配置されている。本実施の形態の押ボタン１１には、支持部材２０の円柱部２１が挿嵌される円筒状の本体部１２が設けられている。本体部１２の一端の周縁には、遊技者が押下するための略球面状の球面部１３が一体に形成されている。また、本体部１２の他端の周縁には、押ボタン１１が上昇した際、上皿１０２の下面に当接することで、上皿１０２より上方に押ボタン１１を抜け止めするフランジ部１４が一体に形成されている。
【００５８】
なお、本実施の形態において、本体部１２は、円筒形状をなして形成されているが、支持部材２０を挿通可能な形状であれば、特に限定されず、筒形状であれば良い。
【００５９】
本実施の形態の支持部材２０には、押ボタン１１の内部に挿嵌される円柱部２１が設けられている。この円柱部２１の上面には、凹部２４が形成されている。そして、凹部２４には、バネ２５が載置されている。
【００６０】
すなわち、バネ２５は、凹部２４と押ボタン１１の球面部１３の下面との間に配置されている。したがって、遊技者が押ボタン１１を押下すると、押ボタン１１には、バネ２５による上方への付勢力が付勢されている。
【００６１】
一方、円柱部２１の下面には、棒状部２３が設けられている。棒状部２３には、第１の歯車機構部材４０及び第２の歯車機構部材５０に咬合する咬合部２２が形成されている。そして、この棒状部２３は、付勢部材３０に挿通されている。
【００６２】
本実施の形態において、付勢部材３０は、基台６０の中央に位置し、第２の板部材６２の上面に載置されている。そして、付勢部材３０には、上述したように、支持部材２０の棒状部２３が挿通されている。
【００６３】
すなわち、付勢部材３０は、第２の板部材６２の上面と支持部材２０の円柱部２１との間に配置されており、支持部材２０には、付勢部材３０による上方への付勢力が付勢されている。
【００６４】
本実施の形態において、第１の歯車機構部材４０は、モータ４６の駆動に起因して回転する第１の平歯車４１と、この第１の平歯車４１に咬合して配置され、第１の平歯車４１の回転に連動して回転する第２の平歯車４２と、第１の平歯車４１の一方向回転運動を伝達し、他方向回転運動を防止するラチェット機構４３とを備えて構成されている。そして、本実施の形態の第１の歯車機構部材４０は、これら第１の平歯車４１、第２の平歯車４２及びラチェット機構４３を収容するケース体４４を備えて構成されている。
【００６５】
第１の平歯車４１には、モータ４６の回転駆動軸４６ａに連結される回転軸４１ａが設けられている。また、第１の平歯車４１には、回転軸４１ａに対し直交して配置され、回転軸４１ａとともに一体に形成された回転輪４１ｂが設けられている。
【００６６】
本実施の形態において、回転輪４１ｂは、略円盤形状をなして形成されている。そして、一方面の外周には、第２の平歯車４２に咬合する歯すじが形成されている。また、回転輪４１ｂの他方面の内周には、ラチェット機構４３に咬合する歯すじが形成されている。
【００６７】
回転輪４１ｂの他方面には、ラチェット機構４３が収容されている。本実施の形態において、ラチェット機構４３には、時計周り方向に向かって刃４３ａが形成されている。また、ラチェット機構４３には、ケース体４４に固定するための円弧状片４３ｂが形成されている。
【００６８】
ケース体４４は、平面視略円形の皿形状をなして形成されている。ケース体４４には、モータ４６の回転駆動軸４６ａが挿通される孔が形成されている。
【００６９】
また、ケース体４４には、孔を挟んで互いに対向して配置され、ラチェット機構４３の円弧状片４３ｂが挿通される円弧状孔４４ａが形成されている。この円弧状孔４４ａは、ラチェット機構４３を回転させないように、係止する役目を果たすものである。
【００７０】
すなわち、本実施の形態の第１の平歯車４１は、モータ４６の駆動によりラチェット機構４３の刃４３ａを弾いて時計周り方向には回転するが、反時計周りには、ラチェット機構４３の刃４３ａと噛み合うことで回転しないように設定されている。
【００７１】
本実施の形態において、第２の歯車機構部材５０は、上述の第１の歯車機構部材４０に対して、第３の平歯車を設けた点及びラチェット機構５３の刃５３ａが反時計周り方向に向けて設けられた点が異なり、他の構成は同様である。したがって、第１の歯車機構部材４０と同一又は相当する部分については、その説明を省略する。
【００７２】
本実施の形態の第２の歯車機構部材５０は、上述したように、第１の平歯車５１、第２の平歯車５２の他に、第３の平歯車を設けて構成されている。この第３の平歯車は、支持部材２０の咬合部２２に常に咬合した状態を維持して配置されている。
【００７３】
第３の平歯車は、第１の板部材６１に回転自在に設けられている。つまり、第３の平歯車は、支持部材２０の上下動に連動して回転するように配置されている。
【００７４】
また、本実施の形態の第２の歯車機構部材５０は、上述したように、ラチェット機構５３の刃５３ａが反時計周り方向に向けて形成されている。そして、ラチェット機構５３は、第１の歯車機構部材４０のラチェット機構４３と同様に、第１の平歯車５１の回転輪５１ｂの他方面に収容されている。
【００７５】
すなわち、本実施の形態の第１の平歯車５１は、モータ５６の駆動によりラチェット機構５３の刃５３ａを弾いて反時計周り方向には回転するが、時計周り方向にはラチェット機構５３の刃５３ａと噛み合うことで回転しないように設定されている。
【００７６】
次に、本実施の形態の遊技機用押ボタン装置１０の動作について図６Ａ、図６Ｂ、図６Ｃ、図６Ｄ、図６Ｅ、図６Ｆ及び図６Ｇを用いて説明する。図６Ａは、本発明の一実施の形態である遊技機１００の遊技機用押ボタン装置の１０第１の動作を模式的に示す正面図であり、図６Ｂは、本発明の一実施の形態である遊技機１００の遊技機用押ボタン装置１０の第２の動作を模式的に示す正面図であり、図６Ｃは、本発明の一実施の形態である遊技機１００の遊技機用押ボタン装置１０の第３の動作を模式的に示す正面図であり、図６Ｄは、本発明の一実施の形態である遊技機１００の遊技機用押ボタン装置１０の第４の動作を模式的に示す正面図であり、図６Ｅは、本発明の一実施の形態である遊技機１００の遊技機用押ボタン装置１０の第５の動作を模式的に示す正面図であり、図６Ｆは、本発明の一実施の形態である遊技機１００の遊技機用押ボタン装置１０の第６の動作を模式的に示す正面図であり、図６Ｇは、本発明の一実施の形態である遊技機１００の遊技機用押ボタン装置１０の第７の動作を模式的に示す正面図である。
【００７７】
図６Ａに例示されるように、通常、本実施の形態の遊技機用押ボタン装置１０の押ボタン１１が遊技機１００の上皿１０２の傾斜面１０２ｂの上面に対してほぼフラットな状態、すなわち、初期位置である第１の高さ位置で維持されている。
【００７８】
まず、この状態では、第２の歯車機構部材５０に設けられたモータ５６は、図示しない制御手段により制御されることで停止している。モータ５６を停止させることで、第２の歯車機構部材５０の第２の平歯車５２と第３の平歯車５７とが咬合した状態を維持している。
【００７９】
なお、モータ５６の駆動に起因して第１の平歯車５１を、正面視反時計周り方向に回転させることで、第２の歯車機構部材５０の第２の平歯車５２と第３の平歯車５７とが咬合した状態を維持させても良い。
【００８０】
また、第１の歯車機構部材４０に設けられたモータ４６も、図示しない制御手段により制御されることで停止している。モータ４６を停止させることで、第１の歯車機構部材４０の第２の平歯車４２と支持部材２０の咬合部２２とが離れた状態を維持している。
【００８１】
なお、モータ４６の駆動に起因して第１の平歯車４１を、正面視反時計周り方向に回転させることで、第１の歯車機構部材４０の第２の平歯車４２と支持部材２０の咬合部２２とが離れた状態を維持させても良い。
【００８２】
このように、第２の歯車機構部材５０の第２の平歯車５２と第３の平歯車とが咬合した状態を維持することで、押ボタン１１を上方に付勢する付勢部材３０の付勢力を抑えている。これにより、通常、遊技機用押ボタン装置１０は、押ボタン１１を遊技機１００の上皿１０２の傾斜面１０２ｂに対してフラットな状態、すなわち、初期位置である第１の高さ位置で維持している。
【００８３】
このとき、遊技機用押ボタン装置１０の上方、すなわち、押ボタン１１の上方には、押ボタン１１を被覆する被覆部１０３が設けられている。本実施の形態において、被覆部１０３は、上述したように、ゴム材などの弾性部材又は紙により形成されているため、この被覆部１０３の上には、遊技者に視覚的に物が置けないように施すことが可能になる。
【００８４】
このように、被覆部１０３の上に物を置くことができない、すなわち遊技機用押ボタン装置１０の上に物を置くことができないので、押ボタン１１の昇降動作を妨げないようにすることができる。
【００８５】
図６Ｂに例示されるように、第２の歯車機構部材５０の第２の平歯車５２と第３の平歯車５７とが離れた状態で維持されている。これにより、押ボタン１１を上方に付勢する付勢部材３０の付勢力が開放され、押ボタン１１は、第１の高さ位置から上昇する。
【００８６】
この状態では、第２の歯車機構部材５０に設けられたモータ５６は、図示しない制御手段により制御されて回転駆動軸５６ａを正面視時計周り方向に回転させる。そして、モータ５６の駆動に起因して、ケース体５４が正面視時計周り方向に回転する。このとき、第１の平歯車５１は、回転輪５１ｂの内周面に形成された歯すじと、ラチェット機構５３の刃５３ａとが噛み合うことで回転しない。
【００８７】
そして、第１の平歯車５１が回転せずに、ケース体５４が正面視時計周り方向に回転することで、第２の平歯車５２と第３の平歯車とが離れる。また、ケース体５４が正面視時計周り方向に回転することで、ケース体５４の引っ掛け部に掛け渡されたバネを引張る。
【００８８】
一方、第１の歯車機構部材４０に設けられたモータ４６は、図示しない制御手段により制御されてることで停止している。モータ４６を停止させることで、第１の歯車機構部材４０の第２の平歯車４２と支持部材２０の咬合部２２とが離れた状態を維持している。
【００８９】
なお、モータ４６の駆動に起因して第１の平歯車４１を、正面視反時計周り方向に回転させることで、第１の歯車機構部材４０の第２の平歯車４２と支持部材２０の咬合部２２とが離れた状態を維持させても良い。
【００９０】
このとき、遊技機用押ボタン装置１０の上方、すなわち、押ボタン１１の上方には、上述したように、押ボタン１１を被覆する被覆部１０３が設けられている。そして、被覆部１０３には、押ボタン１１の上面に対向する位置に切り込み１０３ａが形成されている。このため、押ボタン１１が上昇する際、切り込み１０３ａを押し分けて上昇している。このように、本実施の形態の押ボタン１１が上昇する際、切り込み１０３ａを押し分けて上昇しているため、この押ボタン１１を被覆する被覆部１０３がこの押ボタン１１の上昇を妨げないように施されている。
【００９１】
図６Ｃ及び図６Ｄに例示されるように、第１の歯車機構部材４０の第２の平歯車４２と支持部材２０の咬合部２２とが咬合した状態で維持されている。これにより、押ボタン１１を付勢部材３０により上昇させた位置から第２の高さ位置に上昇させる。
【００９２】
この状態では、第１の歯車機構部材４０に設けられたモータ４６は、図示しない制御手段により制御されて回転駆動軸４６ａを正面視時計周り方向に回転させる。そして、モータ４６の駆動に起因して第１の平歯車４１が正面視時計周り方向に回転する。このとき、第１の平歯車４１は、ラチェット機構４３の刃を弾いて正面視時計周り方向に回転する。
【００９３】
また、第１の平歯車４１が正面視時計周り方向に回転するとともに、ケース体４４の引っ掛け部により引張されていたバネ４５の弾性力が開放され、このバネ４５の弾性力によりケース体４４も正面視時計周り方向に回転する。
【００９４】
ケース体４４を正面視時計周り方向に回転させることで、第２の平歯車４２と支持部材２０の咬合部２２とが咬合するように配置される。そして、第１の平歯車４１を正面視時計周り方向に回転させることで、この第１の平歯車４１の回転に連動して第２の平歯車４２が正面視反時計周り方向に回転する。
【００９５】
このとき、第２の平歯車４２が支持部材２０の咬合部２２から外れないように、ケース体４４には、バネ４５の弾性力が付勢されている。これにより、第２の平歯車４２と支持部材２０の咬合部２２とが咬合した状態で維持されるとともに、第１の平歯車４１の回転に連動して第２の平歯車４２が正面視反時計周り方向に回転することで、押ボタン１１は、付勢部材３０により上昇させた位置から第２の高さ位置に上昇する。
【００９６】
一方、第２の歯車機構部材５０に設けられたモータ５６は、図示しない制御手段により制御されることで停止している。モータ５６を停止させることで、第２の歯車機構部材５０の第２の平歯車５２と第３の平歯車５７とが離れた状態を維持している。
【００９７】
なお、モータ５６の駆動に起因して第１の平歯車５１を、正面視時計周り方向に回転させることで、第２の平歯車５２と第３の平歯車５７とが離れた状態を維持させても良い。
【００９８】
本実施の形態において、基台６０の第２の板部材６２に載置された付勢部材１３の上下方向の長さが、第２の板部材６２の上面から上皿１０２の下面までの距離より短いため、付勢部材３０により押ボタン１１を上昇させた際、押ボタン１１のフランジ部が上皿１０２にあたらないため、押ボタン１１の破損を予防することができる。
【００９９】
また、付勢部材３０により上昇させた位置から第１の歯車機構部材４０により第２の高さ位置まで押ボタン１１を上昇させることで、遊技者に強いインパクトを与えることができる。
【０１００】
このとき、本実施の形態の被覆部１０３には、上述したように、押ボタン１１の押下面に対向する位置に切り込み１０３ａが形成されているため、押ボタン１１が上昇する際、この切り込み１０３ａを押し分けて上昇している。このように、本実施の形態の押ボタン１１が上昇する際、切り込み１０３ａを押し分けて上昇しているため、この押ボタン１１を被覆する被覆部１０３がこの押ボタン１１の上昇を妨げないように施されている。
【０１０１】
図６Ｅ、図６Ｆ及び図６Ｇに例示されるように、第２の歯車機構部材５０の第２の平歯車５２と第３の平歯車５７とが咬合した状態で維持され、第１の歯車機構部材４０の第２の平歯車４２と支持部材２０の咬合部２２とが離れた状態で維持されている。これにより、押ボタン１１を第２の高さ位置から第１の高さ位置まで下降させる。
【０１０２】
この状態では、第１の歯車機構部材４０に設けられたモータ４６は、図示しない制御手段により制御されて回転駆動軸４６ａを正面視反時計周り方向に回転させる。そして、モータ４６の駆動に起因して、ケース体４４が正面視反時計周り方向に回転する。このとき、第１の平歯車４１は、第１の平歯車４１の内周面に形成された歯すじと、ラチェット機構４３の刃４３ａとが噛み合うことで回転しない。
【０１０３】
そして、第１の平歯車４１が回転せずに、ケース体４４が正面視反時計周り方向に回転することで、第２の平歯車４２と支持部材２０の咬合部２２とが離れる。また、ケース体４４が正面視反時計周り方向に回転することで、ケース体４４の引っ掛け部に掛け渡されたバネを引張る。
【０１０４】
一方、第２の歯車機構部材５０に設けられたモータ５６は、図示しない制御手段により制御されて回転駆動軸５６ａを正面視反時計周り方向に回転させる。そして、モータ５６の駆動に起因して第１の平歯車５１が正面視反時計周り方向に回転する。このとき、第１の平歯車５１は、ラチェット機構５３の刃を弾いて正面視時計周り方向に回転する。
【０１０５】
また、第１の平歯車５１が正面視反時計周り方向に回転するとともに、ケース体５４の引っ掛け部により引張されていたバネ５５の弾性力が開放され、このバネ５５の弾性力によりケース体５４も正面視反時計周り方向に回転する。
【０１０６】
ケース体５４を正面視反時計周り方向に回転させることで、第２の平歯車５２と第３の平歯車５７とが咬合するように配置される。そして、第１の平歯車５１を正面視反時計周り方向に回転させることで、この第１の平歯車５１の回転に連動して第２の平歯車５２が正面視時計周り方向に回転し、第２の平歯車５２の回転に連動して第３の平歯車５７が正面視反時計周り方向に回転する。
【０１０７】
このとき、第２の平歯車５２が第３の平歯車５７から外れないように、ケース体５４には、バネ５５の弾性力が付勢されている。これにより、第２の平歯車５２と第３の平歯車５７とが咬合した状態で維持されるとともに、第１の平歯車５１の回転に連動して第２の平歯車５２及び第３の平歯車５７が回転することで、押ボタン１１は、第２の高さ位置から第１の高さ位置まで下降する。
【０１０８】
このように、本実施の形態の遊技機用押ボタン装置１０は、互いに異なる一方向に回転する第１の平歯車４１及び第１の平歯車５１を備えた第１の歯車機構部材４０及び第２の歯車機構部材５０を有し、第１の歯車機構部材４０により付勢部材３０で上昇させた押ボタン１１の位置より更に上昇させるとともに、その後、第２の歯車機構部材５０により下降させることで、操作可能な状態になった際、常に、押ボタン１１を上皿１０２より突出させることができる。
【０１０９】
したがって、本実施の形態の遊技機用押ボタン装置１０によれば、押ボタン１１が操作可能な状況になったことを、常に、遊技者に強いインパクトを与えて伝えることができる。また、本実施の形態の遊技機用押ボタン装置１０は、上述したように、遊技機用押ボタン装置１０の上方、すなわち、押ボタン１１の上方を被覆する被覆部１０３が設けられており、遊技機用押ボタン装置１０の上に物を置くことができず、これにより、押ボタン１１の昇降動作を妨げないようにすることができる。
【０１１０】
よって、本実施の形態の遊技機用押ボタン装置１０の支持構造によれば、押ボタン１１を遊技機１００の本体に対して昇降させることで、遊技者にインパクトを与えることができるとともに、押ボタン１１の上面に物を載せないように施すことで、押ボタン１１の昇降動作を妨げないようにすることができる。
また、本実施の形態の遊技機用押ボタン装置１０の支持構造によれば、発明によれば、被覆部１０３により押ボタン１１の第１の高さ位置で被覆可能となっているとともに、第２の高さ位置で押下面を押下可能となっている。このため、押ボタン１１を押下可能時にのみ出現させることが可能になり、遊技者による不要な押下動作を抑止することできる。
【０１１１】
（実施の形態２）
本発明の他の実施の形態である遊技機２００について、図７Ａ、図７Ｂ、図８Ａ、図８Ｂ、図９Ａ及び図９Ｂを用いて説明する。図７Ａは、本発明の他の実施の形態である遊技機２００の構成について、遊技機用押ボタン装置１０の押ボタン１１が第１の高さ位置に位置する状態を前方から模式的に示す表面斜視図であり、図７Ｂは、本発明の他の実施の形態である遊技機２００の構成について、遊技機用押ボタン装置１０の押ボタン１１が第１の高さ位置に位置する状態を側方から模式的に示す側面図である。
【０１１２】
また、図８Ａは、本発明の他の実施の形態である遊技機２００の構成について、遊技機用押ボタン装置１０の押ボタン１１が第２の高さ位置に位置する状態を前方から模式的に示す表面斜視図であり、図８Ｂは、本発明の他の実施の形態である遊技機２００の構成について、遊技機用押ボタン装置１０の押ボタン１１が第２の高さ位置に位置する状態を側方から模式的に示す側面図である。
【０１１３】
また、図９Ａは、本発明の他の実施の形態である遊技機用押ボタン装置１０の支持構造について、押ボタン１１が第１の高さ位置に位置する状態を前方から模式的に示す正面図であり、図９Ｂは、本発明の他の実施の形態である遊技機用押ボタン装置１０の支持構造について、押ボタン１１が第２の高さ位置に位置する状態を前方から模式的に示す正面図である。
【０１１４】
本実施の形態の遊技機２００は、上述の実施の形態１の被覆部１０３に対して、被覆部２０３が遊技機用押ボタン装置１０の押ボタン１１の押下面を第１の高さ位置で被覆する第１の状態と、押ボタン１１の昇降動作に連動して押ボタン１１の上昇動作を可能にする第２の状態とに往復移動可能な往復移動部材を備えた点が異なり、他の構成は同様である。したがって、実施の形態１と同一又は相当する部分については、同様の符号を付してその説明を省略する。
【０１１５】
図７Ａ、図７Ｂ、図８Ａ、図８Ｂ、図９Ａ及び図９Ｂに例示されるように、本実施の形態の遊技機２００の被覆部２０３は、上述したように、押ボタン１１の押下面を第１の高さ位置で被覆する第１の状態と、押ボタン１１の昇降動作に連動して押ボタン１１の上昇動作を可能にする第２の状態とに往復移動可能な往復移動部材を備えて構成されている。
【０１１６】
本実施の形態の往復移動部材は、主たる構成として、駆動源２０４の駆動に起因して回転する回転体２０５と、この回転体２０５に咬合して配置され、回転体２０５の回転に連動して遊技機２００の上皿２０２の上面に沿って往復移動可能な平板状の平板部２０６とを備えて構成されている。
【０１１７】
本実施の形態において、駆動源２０４は、モータなどにより構成され、回転体２０５に動力を伝達可能な駆動軸を有して構成されている。そして、回転体は、歯車などにより構成され、駆動源２０４の回転軸に連結して配設されている。このように、駆動源２０４の駆動軸に回転体２０５を連結することで、回転体２０５に駆動源２０４の駆動力を伝達している。
【０１１８】
回転体２０５には、平板部２０６の裏面側に形成された咬合部２０６ａが咬合して配設されている。そして、平板部２０６は、この平板部２０６を摺動可能に支持する支持部材２０７，２０８により支持されている。
【０１１９】
支持部材２０７，２０８は、上皿２０２の上面に沿って配設されている。すなわち、平板部２０６も上皿２０２の上面に沿って配設されている。このため、平板部２０６は、回転体２０５の回転に連動して、上皿２０２の上面に沿って往復移動可能に配設されている。
【０１２０】
このように、回転体２０５に平板部２０６を咬合して配することで、回転体２０５を介して駆動源２０４の駆動力を伝達しており、駆動源２０４の駆動力を受けて、平板部２０６の上皿２０２の上面での往復移動を可能にしている。
【０１２１】
よって、本実施の形態によれば、押ボタン１１の昇降動作に連動して平板部１２６が往復移動することで、例えば、遊技者が平板部１２６の上に物を載せたとしても、平板部１２６とともに移送されるため、押ボタン１１の昇降動作を妨げないように施すことができる。
また、本実施の形態の遊技機用押ボタン装置１０の支持構造によれば、発明によれば、被覆部２０３により押ボタン１１の第１の高さ位置で被覆可能となっているとともに、第２の高さ位置で押下面を押下可能となっている。このため、押ボタン１１を押下可能時にのみ出現させることが可能になり、遊技者による不要な押下動作を抑止することできる。
【０１２２】
（実施の形態３）
本発明の他の実施の形態である遊技機３００について、図１０Ａ、図１０Ｂ、図１１Ａ、図１１Ｂ、図１２、図１３Ａ、図１３Ｂ、図１３Ｃ、図１４Ａ、図１４Ｂ及び図１４Ｃを用いて説明する。図１０Ａは、本発明の他の実施の形態である遊技機３００の構成について、遊技機用押ボタン装置１０の押ボタン１１が第１の高さ位置に位置する状態を前方から模式的に示す表面斜視図であり、図１０Ｂは、本発明の他の実施の形態である遊技機３００の構成について、遊技機用押ボタン装置１０の押ボタン１１が第２の高さ位置に位置する状態を前方から模式的に示す表面斜視図である。
【０１２３】
また、図１１Ａは、本発明の他の実施の形態である遊技機３００の構成について、遊技機用押ボタン装置１０の押ボタン１１が第１の高さ位置に位置する状態を側方から模式的に示す側面図であり、図１１Ｂは、本発明の他の実施の形態である遊技機３００の構成について、遊技機用押ボタン装置１０の押ボタン１１が第２の高さ位置に位置する状態を側方から模式的に示す側面図である。
【０１２４】
また、図１２は、本発明の他の実施の形態である遊技機用押ボタン装置１０の支持構造の分解した状態を模式的に示す分解斜視図であり、図１３Ａは、本発明の他の実施の形態である遊技機用押ボタン装置１０の支持構造について、第１の状態を前方から拡大して模式的に示す拡大斜視図であり、図１３Ｂは、本発明の他の実施の形態である遊技機用押ボタン装置１０の支持構造について、第２の状態を前方から拡大して模式的に示す拡大斜視図であり、図１３Ｃは、本発明の他の実施の形態である遊技機用押ボタン装置１０の支持構造について、第３の状態を前方から拡大して模式的に示す拡大斜視図である。
【０１２５】
また、図１４Ａは、本発明の他の実施の形態である遊技機用押ボタン装置１０の支持構造について、第１の状態を上方から拡大して模式的に示す拡大平面図であり、図１４Ｂは、本発明の他の実施の形態である遊技機用押ボタン装置１０の支持構造について、第２の状態を上方から拡大して模式的に示す拡大平面図であり、図１４Ｃは、本発明の他の実施の形態である遊技機用押ボタン装置１０の支持構造について、第３の状態を上方から拡大して模式的に示す拡大平面図である。
【０１２６】
本実施の形態の遊技機３００は、上述の実施の形態２の被覆部２０３に対して、被覆部３０３の平板部３０７が遊技機の上皿の上面に沿って放射方向に移動可能な複数の平板片３０７ａ，３０７ｂ，３０７ｃを有する点が異なり、他の構成は同様である。したがって、実施の形態２と同一又は相当する部分については、同様の符号を付してその説明を省略する。
【０１２７】
図１０Ａ、図１０Ｂ、図１１Ａ、図１１Ｂ、図１２、図１３Ａ、図１３Ｂ、図１３Ｃ、図１４Ａ、図１４Ｂ及び図１４Ｃに例示されるように、本実施の形態の往復移動部材は、主たる構成として、駆動源３０４の駆動に起因して回転する第１の回転体３０５と、この第１の回転体３０５に咬合して配置され、第１の回転体３０５の回転に連動して回転する第２の回転体３０５と、第２の回転体３０５の回転に連動して放射方向に往復移動可能な複数の平板片３０７ａ，３０７ｂ，３０７ｃと、これら平板片３０７ａ，３０７ｂ，３０７ｃを保持する環状部材３０８と、を備えて構成されている。
【０１２８】
本実施の形態において、駆動源３０４は、モータなどにより構成され、第１の回転体３０５に動力を伝達可能な駆動軸を有して構成されている。そして、第１の回転体３０５は、小歯車などにより構成され、駆動源３０４の回転軸に連結して配設されている。このように、駆動源３０４の駆動軸に第１の回転体３０５を連結することで、第１の回転体３０５に駆動源３０４の駆動力を伝達している。
【０１２９】
この第１の回転体３０５には、第２の回転体３０６が咬合して配設されている。第２の回転体３０６は、中央に円形状の孔を有して構成されている。すなわち、押ボタン１１は、第２の回転体３０６の孔を挿通しながら昇降動作を可能にしている。
【０１３０】
また、第２の回転体３０６には、この第２の回転体３０６の回転に連動して後述する平板片３０７ａ，３０７ｂ，３０７ｃに形成された摺動孔３０７ｄ，３０７ｅ，３０７ｆ内を摺動可能に移動する凸部３０６ａ，３０６ｂ，３０６ｃが形成されている。
【０１３１】
そして、第２の回転体３０６の上方には、複数の平板片３０７ａ，３０７ｂ，３０７ｃが配設されている。そして、これら平板片３０７ａ，３０７ｂ，３０７ｃには、それぞれ摺動孔３０７ｄ，３０７ｅ，３０７ｆが形成されている。
【０１３２】
また、平板片３０７ａ，３０７ｂ，３０７ｃには、後述する環状部材３０８に形成された凸部３０８ａ，３０８ｂ，３０８ｃを挿嵌可能な挿嵌孔３０７ｇ，３０７ｈ，３０７iが形成されている。
【０１３３】
すなわち、平板片３０７ａ，３０７ｂ，３０７ｃは、第２の回転体３０６及び環状部材３０８により挟持されている。そして、第２の回転体３０６の回転とともに環状部材３０８が回転することで、平板片３０７ａ，３０７ｂ，３０７ｃが上皿３０２の上面における放射方向への往復移動を可能にしている。
【０１３４】
このように、本実施の形態によれば、押ボタン１１の昇降動作に連動して平板片３０７ａ，３０７ｂ，３０７ｃが往復移動することで、遊技機用押ボタン装置１０の上に物を置くことができず、これにより、押ボタン１１の昇降動作を妨げないようにすることができる。
また、本実施の形態の遊技機用押ボタン装置１０の支持構造によれば、発明によれば、被覆部３０３により押ボタン１１の第１の高さ位置で被覆可能となっているとともに、第２の高さ位置で押下面を押下可能となっている。このため、押ボタン１１を押下可能時にのみ出現させることが可能になり、遊技者による不要な押下動作を抑止することできる。
【０１３５】
（実施の形態４）
本発明の他の実施の形態である遊技機４００について、図１５Ａ、図１５Ｂ、図１６Ａ、図１６Ｂ及び図１７を用いて説明する。図１５Ａは、本発明の他の実施の形態である遊技機４００の構成について、遊技機用押ボタン装置１０の押ボタン１１が第１の高さ位置に位置する状態を前方から模式的に示す表面斜視図であり、図１５Ｂは、本発明の他の実施の形態である遊技機４００の構成について、遊技機用押ボタン装置１０の押ボタン１１が第１の高さ位置に位置する状態を側方から模式的に示す側面図である。
【０１３６】
また、図１６Ａは、本発明の他の実施の形態である遊技機４００の構成について、遊技機用押ボタン装置１０の押ボタン１１が第２の高さ位置に位置する状態を前方から模式的に示す表面斜視図であり、図１６Ｂは、本発明の他の実施の形態である遊技機４００の構成について、遊技機用押ボタン装置１０の押ボタン１１が第２の高さ位置に位置する状態を側方から模式的に示す側面図である。図１７は、本発明の他の実施の形態である遊技機４００の遊技機用押ボタン装置１０の内部構成を模式的に示す断面図である。
【０１３７】
本実施の形態の遊技機４００は、上述の実施の形態１に対して、被覆部４０３が球面状の本体部４０３ａを有し、この本体部４０３ａが遊技機用押ボタン装置１０の押ボタン１１の昇降動作に連動して開閉可能に設けられた点が異なり、他の構成は同様である。したがって、実施の形態１と同一又は相当する部分については、同様の符号を付してその説明を省略する。
【０１３８】
図１５Ａ、図１５Ｂ、図１６Ａ、図１６Ｂ及び図１７に例示されるように、本実施の形態の遊技機４００の被覆部４０３は、主たる構成として、半球面状の本体部４０３ａを備えて構成されている。このように、被覆部４０３が半球面状をなして形成されることで、例えば、遊技者が物を載せようとしても、物がその位置で維持されないため、被覆部４０３の上面に物が置けないように施すことが可能になる。
【０１３９】
本実施の形態において、被覆部４０３は、押ボタン１１の昇降動作に連動して開閉可能な半球面状の本体部４０３ａと、この本体部４０３ａの内周面に連結して配置され、押ボタン１１の昇降動作に連動して傾動するピン部材４０４と、を有して構成されている。
【０１４０】
本体部４０３ａは、上述したように、半球面状をなして形成され、押ボタン１１の昇降動作に起因して、開閉可能な本体部片４０３ａＬ，４０３ａＲを有して構成されている。なお、本実施の形態の本体部４０３ａは、透過性部材により形成されている。このため、本体部４０３ａは、押ボタン１１の昇降動作を遊技者に対し、視認可能にしている。
【０１４１】
各本体部片４０３ａＬ，４０３ａＲのそれぞれには、各本体部片４０３ａＬ，４０３ａＲの内周面に連結して配置され、押ボタン１１に離接可能なピン部材４０４Ｌ，４０４Ｒが設けられている。
【０１４２】
ピン部材４０４Ｌ，４０４Ｒは、押ボタン１１の昇降動作方向に対して傾きを有し、連結して設けられている。ピン部材４０４Ｌ，４０４Ｒのそれぞれの先端には、重り部材４０５Ｌ，４０５Ｒが配設されている。
【０１４３】
このため、ピン部材４０４Ｌ，４０４Ｒは、押ボタン１１の上昇動作に起因して、この押ボタン１１の球面部１３に付き押され、押ボタン１１の昇降動作方向に対して斜倒するように設けられている。
【０１４４】
そして、ピン部材４０４Ｌ，４０４Ｒの斜倒動作に連動して、このピン部材４０４Ｌ，４０４Ｒを支持する本体部片４０３ａＬ，４０３ａＲは、開くことで、押ボタン１１の上昇動作を可能にしている。
【０１４５】
次に、本実施の形態の動作について、図１８Ａ、図１８Ｂ、図１８Ｃ、図１８Ｄ、図１８Ｅ、図１８Ｆ及び図１８Ｇを用いて説明する。図１８Ａは、本発明の他の実施の形態である遊技機４００の遊技機用押ボタン装置１０の第１の動作を模式的に示す正面図であり、図１８Ｂは、本発明の他の実施の形態である遊技機４００の遊技機用押ボタン装置１０の第２の動作を模式的に示す正面図であり、図１８Ｃは、本発明の他の実施の形態である遊技機４００の遊技機用押ボタン装置１０の第３の動作を模式的に示す正面図であり、図１８Ｄは、本発明の他の実施の形態である遊技機４００の遊技機用押ボタン装置１０の第４の動作を模式的に示す正面図であり、図１８Ｅは、本発明の他の実施の形態である遊技機４００の遊技機用押ボタン装置１０の第５の動作を模式的に示す正面図であり、図１８Ｆは、本発明の他の実施の形態である遊技機４００の遊技機用押ボタン装置１０の第６の動作を模式的に示す正面図であり、図１８Ｇは、本発明の他の実施の形態である遊技機４００の遊技機用押ボタン装置１０の第７の動作を模式的に示す正面図である。
【０１４６】
図１８Ａに例示されるように、遊技機用押ボタン装置１０は被覆部４０３により覆われており、この被覆部４０３は、球面状をなして形成されているため、被覆部４０３には、常に、物が置けないようになっている。
【０１４７】
図１８Ｂに例示されるように、押ボタン１１が上昇することで、押ボタン１１の上面１３が被覆部４０３のピン部材４０４を付き押すように接触している。このように、押ボタン１１の球面部１３が被覆部４０３のピン部材４０４を付き押すことで、本体部が開く。
【０１４８】
図１８Ｃに例示されるように、押ボタン１１が更に上昇することで、押ボタン１１の上面１３が被覆部４０３のピン４０４を更に付き押し、押ボタン１１の上昇を妨げないように開く。
【０１４９】
一方、図１８Ｆに例示されるように、押ボタン１１が下降すると、この押ボタン１１の下降に連動して、ピン部材４０４が押ボタン１１の側面から球面部１３側に移動しながら、起立する。そして、ピン部材４０４に起立動作に連動して、本体部が閉じる。
【０１５０】
このように、押ボタン１１の昇降動作に連動して、被覆部４０３が開閉することで、押ボタン１１の昇降動作を妨げないようにすることができる。
【０１５１】
よって、本実施の形態の遊技機用押ボタン装置１０の支持構造によれば、この遊技機用押ボタン装置１０の押ボタン１１を遊技機４００の本体に対して昇降させることで、遊技者にインパクトを与えることができるとともに、押ボタン１１の上面に物を載せないように施すことで、押ボタン１１の昇降動作を妨げないようにすることができる。
また、本実施の形態の遊技機用押ボタン装置１０の支持構造によれば、発明によれば、被覆部４０３により押ボタン１１の第１の高さ位置で被覆可能となっているとともに、第２の高さ位置で押下面を押下可能となっている。このため、押ボタン１１を押下可能時にのみ出現させることが可能になり、遊技者による不要な押下動作を抑止することできる。
【０１５２】
（実施の形態５）
本発明の他の実施の形態である遊技機５００について、図１９Ａ、図１９Ｂ、図２０Ａ、図２０Ｂ、図２１Ａ、図２１Ｂ、図２２Ａ及び図２２Ｂを用いて説明する。図１９Ａは、本発明の他の実施の形態である遊技機５００の構成について、遊技機用押ボタン装置１０の押ボタン１１が第１の高さ位置に位置する状態を前方から模式的に示す表面斜視図であり、図１９Ｂは、本発明の他の実施の形態である遊技機５００の構成について、遊技機用押ボタン装置１０の押ボタン１１が第１の高さ位置に位置する状態を側方から模式的に示す側面図である。
【０１５３】
また、図２０Ａは、本発明の他の実施の形態である遊技機５００の構成について、遊技機用押ボタン装置１０の押ボタン１１が第２の高さ位置に位置する状態を前方から模式的に示す表面斜視図であり、図２０Ｂは、本発明の他の実施の形態である遊技機５００の構成について、遊技機用押ボタン装置１０の押ボタン１１が第２の高さ位置に位置する状態を側方から模式的に示す側面図である。
【０１５４】
また、図２１Ａは、本発明の他の実施の形態である遊技機用押ボタン装置１０の支持構造について、押ボタン１１が第１の高さ位置に位置する状態を前方から拡大して模式的に示す拡大斜視図であり、図２１Ｂは、本発明の他の実施の形態である遊技機用押ボタン装置１０の支持構造について、押ボタン１１が第２の高さ位置に位置する状態を前方から拡大して模式的に示す拡大斜視図である。
【０１５５】
また、図２２Ａは、本発明の他の実施の形態である遊技機用押ボタン装置１０の支持構造について、押ボタン１１が第１の高さ位置に位置する状態を前方から拡大して模式的に示す拡大正面図であり、図２２Ｂは、本発明の他の実施の形態である遊技機用押ボタン装置１０の支持構造について、押ボタン１１が第２の高さ位置に位置する状態を前方から拡大して模式的に示す拡大正面図である。
【０１５６】
本実施の形態の遊技機５００は、上述の実施の形態２の被覆部２０３の平板部２０６に対して、円弧状をなして形成された円弧板部５０６を備えた点が異なり、他の構成は同様である。したがって、実施の形態２と同一又は相当する部分については、同様の符号を付してその説明を省略する。
【０１５７】
図１９Ａ、図１９Ｂ、図２０Ａ、図２０Ｂ、図２１Ａ、図２１Ｂ、図２２Ａ及び図２２Ｂに例示されるように、本実施の形態の往復移動部材は、主たる構成として、駆動源５０４の駆動に起因して回転する回転体５０５と、この回転体５０５に咬合して配置され、回転体５０５の回転に連動して遊技機５００の上皿５０２の上面に沿って往復移動可能な平板状の平板部５０６とを備えて構成されている。
【０１５８】
本実施の形態において、駆動源５０４は、モータなどにより構成され、回転体５０５に動力を伝達可能な駆動軸を有して構成されている。そして、回転体５０５は、歯車などにより構成され、駆動源５０４の回転軸に連結して配設されている。このように、駆動源５０４の駆動軸に回転体５０５を連結することで、回転体５０５に駆動源５０４の駆動力を伝達している。
【０１５９】
回転体５０５には、円弧板部５０６の裏面側に形成された咬合部５０６ａが咬合して配設されている。そして、円弧板部５０６は、上皿５０２に形成された矩形状孔により摺動可能に支持されている。このため、円弧板部５０６は、回転体５０５の回転に連動して、往復移動可能に配設されている。
【０１６０】
このように、回転体５０５に円弧板部５０６を咬合して配することで、回転体５０５を介して駆動源５０４の駆動力を伝達しており、駆動源５０４の駆動力を受けて、円弧板部５０６の往復移動を可能にしている。
【０１６１】
よって、本実施の形態によれば、押ボタン１１の昇降動作に連動して円弧板部５０６が往復移動することで、例えば、遊技者が円弧板部５０６の上に物を載せないように施すことが可能になり、押ボタン１１の昇降動作を妨げないようにすることができる。
また、本実施の形態の遊技機用押ボタン装置１０の支持構造によれば、発明によれば、被覆部５０３により押ボタン１１の第１の高さ位置で被覆可能となっているとともに、第２の高さ位置で押下面を押下可能となっている。このため、押ボタン１１を押下可能時にのみ出現させることが可能になり、遊技者による不要な押下動作を抑止することできる。
【符号の説明】
【０１６２】
１０      遊技機用押ボタン装置
１１      押ボタン
１２      本体部
１３      球面部
１４      フランジ部
２０      支持部材
２１      円柱部
２２      咬合部
２３      棒状部
２４      凹部
２５      バネ
２６      軸支部材
３０      付勢部材
４０      第１の歯車機構部材
４１      第１の平歯車
４２      第２の平歯車
４３      ラチェット機構
４４      ケース体
４５      バネ
４６      モータ
５０      第２の歯車機構部材
５１      第１の平歯車
５２      第２の平歯車
５３      ラチェット機構
５４      ケース体
５５      バネ
５６      モータ
５７      第３の平歯車
６０      基台
６１      第１の板部材
６２      第２の板部材
６３      孔
６４      突出片
６５      突出片
６６      突出ピン
６７      突出ピン
６８      溝
１００    遊技機
１０１    操作ハンドル
１０２    上皿
１０３    被服部
１０３ａ  切り込み
１１０    支持体
１１１    上板
１１２    下板
１１３    側板
１１４    側板
１２０    透過部材
２００    遊技機
２０２    上皿
２０３    被服部
２０３ａ  本体部
２０４    ピン部材
２０５    重り部材
【図１Ａ】
0005572482.tif 000002
【図１Ｂ】
0005572482.tif 000003
【図２Ａ】
0005572482.tif 000004
【図２Ｂ】
0005572482.tif 000005
【図３Ａ】
0005572482.tif 000006
【図３Ｂ】
0005572482.tif 000007
【図３Ｃ】
0005572482.tif 000008
【図４】
0005572482.tif 000009
【図５】
0005572482.tif 000010
【図６Ａ】
0005572482.tif 000011
【図６Ｂ】
0005572482.tif 000012
【図６Ｃ】
0005572482.tif 000013
【図６Ｄ】
0005572482.tif 000014
【図６Ｅ】
0005572482.tif 000015
【図６Ｆ】
0005572482.tif 000016
【図６Ｇ】
0005572482.tif 000017
【図７Ａ】
0005572482.tif 000018
【図７Ｂ】
0005572482.tif 000019
【図８Ａ】
0005572482.tif 000020
【図８Ｂ】
0005572482.tif 000021
【図９Ａ】
0005572482.tif 000022
【図９Ｂ】
0005572482.tif 000023
【図１０Ａ】
0005572482.tif 000024
【図１０Ｂ】
0005572482.tif 000025
【図１１Ａ】
0005572482.tif 000026
【図１１Ｂ】
0005572482.tif 000027
【図１２】
0005572482.tif 000028
【図１３Ａ】
0005572482.tif 000029
【図１３Ｂ】
0005572482.tif 000030
【図１３Ｃ】
0005572482.tif 000031
【図１４Ａ】
0005572482.tif 000032
【図１４Ｂ】
0005572482.tif 000033
【図１４Ｃ】
0005572482.tif 000034
【図１５Ａ】
0005572482.tif 000035
【図１５Ｂ】
0005572482.tif 000036
【図１６Ａ】
0005572482.tif 000037
【図１６Ｂ】
0005572482.tif 000038
【図１７】
0005572482.tif 000039
【図１８Ａ】
0005572482.tif 000040
【図１８Ｂ】
0005572482.tif 000041
【図１８Ｃ】
0005572482.tif 000042
【図１８Ｄ】
0005572482.tif 000043
【図１８Ｅ】
0005572482.tif 000044
【図１８Ｆ】
0005572482.tif 000045
【図１８Ｇ】
0005572482.tif 000046
【図１９Ａ】
0005572482.tif 000047
【図１９Ｂ】
0005572482.tif 000048
【図２０Ａ】
0005572482.tif 000049
【図２０Ｂ】
0005572482.tif 000050
【図２１Ａ】
0005572482.tif 000051
【図２１Ｂ】
0005572482.tif 000052
【図２２Ａ】
0005572482.tif 000053
【図２２Ｂ】
0005572482.tif 000054